(57)【要約】本発明は、二重壁（３１；３１）を備えた包装バッグ（１）を製造する方法であって、窓が切り取られるかまたは切り込まれる第１の包装シート（３１）を供給する工程と、別の窓が切り取られるかまたは切り込まれる第２の包装シート（３２）を供給する工程と、窓に対してまっすぐに、密封組立体（５）を移動する包装シートに取り付ける工程と、包装シートに密封組立体を固定する工程と、二重壁を形成するため二つの包装シートを互いに固定する工程と、を含み、前記シートが包装バッグ（１）に形成される方法に関する。
2005516797.tif 000002
【特許請求の範囲】
【請求項１】
二枚重ね（３１，３２）包装袋（１）を製造する方法であって、
窓部が切り取られまたは切り込まれる第１の包装シート（３１）を供給する工程と、
別の窓部が切り取られまたは切り込まれる第２の包装シート（３２）を供給する工程と、
窓部に対してまっすぐに、シール組立体（５）を供給された包装シートに添着する工程と、
前記シール組立体を前記包装シートに取り付ける工程と、
二枚重ねシートを形成し、このシートが次に包装袋（１）に形成されるように、前記２枚の包装シートを相互に取り付ける工程と、
を含む、方法。
【請求項２】
前記シール組立体（５）を前記２枚の包装シート（３１，３２）の間に取り付け、これにより、前記シール組立体を取り付ける手段が前記２枚の包装シートの間に組み込まれる、請求項１に記載の方法。
【請求項３】
前記シール組立体を前記２枚の包装シート（３１，３２）のうちの一方に取り付け、もう一方の包装シートによって形成された前記二枚重ねは前記シール組立体を取り付ける手段を覆わない、請求項１に記載の方法。
【請求項４】
前記シール組立体を取り付ける手段を前記包装シートに接合する、請求項１から３のいずれか一項に記載の方法。
【請求項５】
前記シール組立体を取り付ける手段を前記包装シートに貼り付ける、請求項１から３のいずれか一項に記載の方法。
【請求項６】
窓部を切り取る時点は同期させられ、これにより、前記二枚重ねシートを形成するため次に前記包装シートを連結するときに前記窓部は互いに反対側に位置する、請求項１から５のいずれか一項に記載の方法。
【請求項７】
少なくとも前記二枚重ね袋の外壁（３１）用の前記窓部を切り込みが入れられた点線で切り取り、これにより、前記袋の前記壁は、前記袋の前方で前記シール組立体を覆い、最初に開封する前に不正開封防止型である、シールを形成することができる、請求項１から６のいずれか一項に記載の方法。
【請求項８】
前記二枚重ね袋の内壁（３２）用の前記窓部を切り込みが入れられた点線で切り取り、これにより、前記袋の前記壁は、前記袋の前方で前記シール組立体を覆い、最初に開封する前に不正開封防止型である、シールを形成することができる、請求項１から７のいずれか一項に記載の方法。
【請求項９】
粘着性テープ（３３）を前記外壁の前記窓部の反対側に取り付け、これにより、このテープは、前記袋を最初に開封するときに剥ぎ取られる不正開封防止素子を構成する、請求項１から８のいずれか一項に記載の方法。
【請求項１０】
前記二枚重ねシート自体を折り曲げることにより包装袋を形成する、請求項１から９のいずれか一項に記載の方法。
【請求項１１】
前記袋の側面にひだ部（９）を得るため前記二枚重ねシートを折り曲げる、請求項１から１０のいずれか一項に記載の方法。
【請求項１２】
前記シール組立体を前記包装シートの送り方向に対して横方向にする、請求項１から１１のいずれか一項に記載の方法。
【請求項１３】
前記シール組立体を前記包装シートの送り方向に対して縦方向にする、請求項１から１１のいずれか一項に記載の方法。
【請求項１４】
前記シール組立体は、前記組立体を密封する手段の開閉を容易にするスライダー（８）を含む、請求項１から１３のいずれか一項に記載の方法。
【請求項１５】
前記シール組立体は相補的な密封セクションを含む、請求項１から１４のいずれか一項に記載の方法。
【請求項１６】
前記シール組立体は、前記袋の外向きまたは内向きに位置し、前記シール組立体を密封する手段を覆う密封膜を含み、これにより、前記膜は前記袋の最初の開封前に不正開封防止素子を構成する、請求項１から１５のいずれか一項に記載の方法。
【請求項１７】
前記密封膜は前記袋を最初に開封するときに引き裂くことができる切取線を含む、請求項１６に記載の方法。
【請求項１８】
少なくとも一方の包装シートはプラスチック材料で作られたシートである、請求項１から１７のいずれか一項に記載の方法。
【請求項１９】
少なくとも一方の包装シートは紙タイプの材料で作られたシートである、請求項１から１８のいずれか一項に記載の方法。
【請求項２０】
少なくとも一方の包装シートはボール紙タイプの材料で作られたシートである、請求項１から１９のいずれか一項に記載の方法。
【請求項２１】
前記二枚重ね包装シートは製造、充填および密封型の形成と充填の方法へ送られる、請求項１から２０のいずれか一項に記載の方法。
【請求項２２】
前記包装袋の上部にハンドルを形成する開口を作る、請求項１から２１のいずれか一項に記載の方法。
【請求項２３】
前記包装袋の上部にハンドルを形成する少なくとも一つのグリップストラップを取り付ける、請求項１から２１のいずれか一項に記載の方法。
【請求項２４】
窓部を有する第１の包装シート（３１）と、
別の窓部を有する第２の包装シート（３２）と、
窓部に対してまっすぐに包装シートに固定されたシール組立体（５）と、
を含み、
前記２枚の包装シートは、前記包装袋（１）を形成する二枚重ねシートを形成するように互いに取り付けられる、
二枚重ね包装袋。
【請求項２５】
前記シール組立体（５）は前記２枚の包装シートの間に位置し、それにより、前記シール組立体を取り付ける手段は前記２枚の包装シートの間に組み込まれる、請求項２４に記載の袋。
【請求項２６】
前記シール部組立体は前記２枚の包装シートの一方（３１）に取り付けられ、もう一方の包装シートによって形成された二枚重ねは前記シール組立体を取り付ける手段を覆わない、請求項２５に記載の袋。
【請求項２７】
少なくとも前記二枚重ね袋の外壁のための窓部は切り込み型の点線を含み、これにより、当該袋の前記壁は、当該袋の前方で前記シール組立体を覆い、最初の開封前に不正開封防止型であるシールを形成する、請求項２４から２６のいずれか一項に記載の袋。
【請求項２８】
前記二枚重ね袋の外壁のための窓部は切り込み型の点線を含み、これにより、当該袋の内壁は、当該袋の内側で前記シール組立体を覆い、最初の開封前に不正開封防止型であるシールを形成する、請求項２４から２７のいずれか一項に記載の袋。
【請求項２９】
当該袋の外壁に当該袋のシール組立体を覆う粘着性テープを含み、この粘着性テープは当該袋の最初の開封前に不正開封防止素子を構成する、請求項２４から２８のいずれか一項に記載の袋。
【請求項３０】
側面にひだ部を含む、請求項２４から２９のいずれか一項に記載の袋。
【請求項３１】
前記シール組立体は前記組立体を密封する手段の開閉を容易にするスライダーを含む、請求項２４から３０のいずれか一項に記載の袋。
【請求項３２】
前記シール組立体は相補的な密封セクションおよび／またはスライダーを含む、請求項２４から３１のいずれか一項に記載の袋。
【請求項３３】
前記シール組立体は、当該袋の外向きまたは内向きに位置し、前記シール組立体を密封する手段を覆う密封膜を含み、これにより、前記膜は当該袋の最初の開封前に不正開封防止素子を構成する、請求項２４から３２のいずれか一項に記載の袋。
【請求項３４】
前記密封膜は当該袋を最初に開封するときに引き裂くことができる切取線を含む、請求項３３に記載の袋。
【請求項３５】
プラスチック材料で作られた少なくとも１枚の包装シートを含む、請求項２４から３４のいずれか一項に記載の袋。
【請求項３６】
紙タイプの材料で作られた少なくとも１枚の包装シートを含む、請求項２４から３５のいずれか一項に記載の袋。
【請求項３７】
ボール紙タイプの材料で作られた少なくとも１枚の包装シートを含む、請求項２４から３６のいずれか一項に記載の袋。
【請求項３８】
上部にグリップハンドルを形成する開口を含む、請求項２４から３７のいずれか一項に記載の袋。
【請求項３９】
上部にグリップハンドルを形成する少なくとも一つのストラップを含む、請求項２４から３７のいずれか一項に記載の袋。
【請求項４０】
前記ストラップは紐タイプである、請求項３９に記載の袋。
【請求項４１】
第１の包装シート（３１）を供給する能力を備えた手段（９２）、および、窓部を切り取るまたは切り込む能力を備えた手段（９４）と、
第２の包装シート（３２）を供給する能力を備えた手段（９１）、および、窓部を切り取るまたは切り込む能力を備えた手段（９３）と、
前記窓部にまっすぐに、シール組立体を供給された包装シートに添着する能力を備えた手段（９５）と、
前記シール組立体を前記包装シートに取り付ける手段（９６）と、
二枚重ねシートを形成するため前記２枚の包装シートを相互に取り付ける能力を備えた手段（９７）、および、このシートを包装袋に形成する手段と、
を含む、二枚重ね包装袋を製造する装置。
【請求項４２】
前記シール組立体を添着する手段（９５）は前記包装シートの送り方向に対して横方向に供給される、請求項４１に記載の装置。
【請求項４３】
前記シール組立体を添着する手段（９５）は前記包装シートの送り方向に対して縦方向に供給される、請求項４１に記載の装置。
【発明の詳細な説明】
【技術分野】
【０００１】
本発明は包装袋の分野に関する。
【背景技術】
【０００２】
多数の包装袋および包装袋を製造する多数のシステムが既に提案されている。
【０００３】
一杯詰まった状態で通常平らな薄い袋に関して、公知の手段は全体的に満足できる。この場合、袋は、一般的に、３辺に沿って一体的に接合された２枚の平らなシートと、例えば、袋の開口の相補的なオス型部分とメス型部分のような密封用の支圧手段と、から作られる。
【０００４】
一方、これまでのところ、嵩張る品物用の袋の製造は、それらの種類とは無関係に、この非常に特定の分野における多数の研究にもかかわらず、満足できないことが分かっている。
【０００５】
特に、このような袋は、屡々、非常に厚い壁が必要であり、密封用手段をこのような壁に取り付けることは容易ではない。
【０００６】
この密封手段の取り付けは、取り付け手段が包装袋の開口ではなく、袋の表面に位置するときになお一層精巧である。
【０００７】
添付の図１には、包装袋の開口２ではなく、包装袋１の壁３に取り付けられた密封手段５を含む袋を製造する従来技術が概略的に示されている。
【０００８】
密封手段５は、バッグ１の前壁３のポイント６に接合されるか、または、貼られる。
【０００９】
取り付けのポイントは密封手段５の取り付け手段７の上に作られる。取り付け手段７は、例えば、プラスチック製の膜を含む。
【００１０】
密封手段５は、また、密封手段５の開閉を容易に行うスライダーを形成する手段８を含む。
【００１１】
このような公知のバッグの例は、米国特許第４３３５８１７号明細書および欧州特許第０８４３６３６号明細書に開示され例示されている。
【００１２】
しかし、従来技術による袋には欠点がある。
【００１３】
特に、取り付けのポイント６は完全に頑丈ではない。
【００１４】
このような袋は、二重層の壁を含む袋、すなわち、二枚重ねバッグに取り付け手段を付けることを想定していない。
【発明の開示】
【発明が解決しようとする課題】
【００１５】
本発明は上記の欠点を解決することを目的とする。
【課題を解決するための手段】
【００１６】
上記目的を達成するため、本発明は、二枚重ね包装袋を製造する方法であって、
窓部が切り取られる第１の包装シートを供給する工程と、
別の窓部が切り取られる第２の包装シートを供給する工程と、
窓部に対してまっすぐに、シール組立体を供給された包装シートに添着する工程と、
そのシール組立体を包装シートに固定する工程と、
二枚重ねシートを形成するため二つの包装シートを相互に固定する工程と、
を含み、このシートが包装袋に形成される方法を提案する。
【００１７】
本発明は、以下の特徴、すなわち、
シール組立体を取り付ける手段が二つの包装シートの間に組み込まれるように、二つの包装シートの間にシール組立体を取り付けること、
シール組立体を二つの包装シートのうちの一方に取り付け、もう一方の包装シートによって形成された二枚重ねはシール組立体を取り付ける手段を覆わないこと、
シール組立体を取り付ける手段を包装シートに接合すること、
シール組立体を取り付ける手段を包装シートに貼ること、
袋の壁が、袋の前部でシール組立体を覆い、最初の開封前に不正開封防止型である、シールを形成可能であるように、切り込まれた点線を用いて二枚重ね袋の外側壁のための少なくとも窓部を切り取ること、ならびに、
袋を最初に開封するときに剥ぎ取られる不正開封防止素子を構成する粘着性テープを外側壁の窓部の反対側に取り付けること、
を単独で、または、技術的に実現可能な組み合わせで選ぶ有利に達成される。
【００１８】
本発明は、この方法により製造された袋、ならびに、本発明による方法を実施する装置に関係する。
【発明を実施するための最良の形態】
【００１９】
本発明のその他の特徴、目的および効果は、明瞭に例示し、限定的ではなく、添付図面と関連付けて読まれるべき以下の記述により明らかにされる。
【００２０】
上述のように本発明は、自動機械を使用した二枚重ね壁を含む再密封可能な袋の製造に関する。
【００２１】
本発明は、水平送りの自動袋製造装置と垂直送りの自動袋製造装置の両方に適用可能である。
【００２２】
さらに、本発明は、製造に続く段階中に、可能であれば製造場所とは地理的に離れている場所で充填を行う自動袋製造装置と、単一の場所で、連続的な段階中に、「製造、充填、密封」（ＦＥＳ）型の充填および密封を行う製造装置の両方に適用される。
【００２３】
したがって、本発明は、好ましくは、有利的に、ＦＥＳ型の垂直送りの装置に適用される。
【００２４】
図２には、厚みのある内容物を収容することが意図されたバッグ１が概略的に示され、内容物は、例えば、開口２を介してバッグ１に挿入され、このバッグ１は特に二つの壁３および４を含む。
【００２５】
このような袋１は、バッグを形成するため包装シートをそれ自体の上に折り重ねることにより公知の技術に従って形成される。バッグ１は、例えば、その側面にひだ折り部９を含むが、不可欠ではない。このような袋の形成および製造を理解するためには、本出願人による仏国特許第２７５８７６１号を参照するのが好都合である。
【００２６】
バッグ１の前壁は３で表され、バッグ１の後壁は４で表されている。
【００２７】
前壁３はシール組立体５を含み、このシール組立体５は、例えば、組立体５を密封する手段の開閉を容易に行う手段８を含むが、不可欠ではない。手段８は、例えば、公知の相補的な密封セクションに沿って移動させることができるスライダーにより形成される。
【００２８】
シール組立体５は、また、オス型とメス型の相補的な密封セクションを含まない密封手段を具備してもよい。
【００２９】
シール組立体５は、Ｕ字形またはＷ字形の膜でもよく、或いは、どのような公知の形状でもよい。
【００３０】
さらに、組立体５は、密封手段を覆い、「不正開封防止」型膜を形成することができる膜を具備してもよい。この膜は、袋が最初に開封されるときに、膜材料中に作られた切取線を引き裂くことにより開かれ、この切取線は点線により構成してもよい。
【００３１】
袋１の壁は、重ねと称される２層を含む。図２では、壁３の外側層は３１で表され、壁３の内側層は３２で表される。また、壁４の外側層は４１で表され、袋１の内側にある壁４の層は４２で表される。
【００３２】
図３は、シール組立体５の２枚重ね壁３の内側へ取り付けることを概略的に表している。
【００３３】
本発明によれば、シール組立体５は取り付け手段７を含む。この取り付け手段７は、例えば、側面膜を含み、材料はどのようなものでもよい。このように、側面膜は、典型的な材料で作られるが、紙またはボール紙タイプの材料でも作られる。
【００３４】
本発明によれば、取り付け手段７はポイント６でバッグ１の壁に固定される。
【００３５】
固定のポイント６は、図３に示された第１実施形態によれば、取り付け手段７を層３１に固定する第１の固定ポイント６１と、取り付け手段７を層３２に固定する第２の取り付けポイント６２とを含む。
【００３６】
本実施形態は、シール組立体５を二枚重ねバッグに非常に確実に固定することができる点で従来技術の実施形態よりも有利である。
【００３７】
図３には、オス型とメス型の相補的なセクション１０を形成する手段、ならびに、密封手段１０を容易に開閉することができるスライダー８を形成する手段を含むシール組立体５が示されている。
【００３８】
スライダーは金属製でもプラスチック製でもよい。
【００３９】
勿論、例えば、密封用スライダーを含まない手段、または、相補的なセクションを含まない密封手段のようなその他の密封手段をこのような壁３に固定してもよい。
【００４０】
図４は、シール組立体５の壁３への取り付けの別の実施形態を表している。
【００４１】
この実施形態によれば、壁３は重なり合わない取り付けポイント６を含む。
【００４２】
実際、組立体５を取り付ける手段は、壁３の層３２に固定されないとしても、取り付けポイント６１によって層３１に固定される。
【００４３】
図３に示された実施形態では、層３２は層３１と完全に同じ寸法ではない。すなわち、ユーザにバッグの内側へのアクセスを可能にさせる層３２の切り取られた窓部は、バッグを密封する手段へのアクセスを可能にさせるバッグ１の層３１に開けられた窓部よりも大きい寸法を有する。
【００４４】
層３２は、図４において６３で示された取り付けポイントによって層３１に固定される。
【００４５】
図４には、開閉用スライダーを具備しない密封手段が示されている。この密封手段は、オス型とメス型の相補的なセクションを含むが、本実施形態の代替として、このようなセクションを具備しない密封手段を含む実施形態を考えることが可能である。
【００４６】
図５は、図３に示された実施形態の代替案を示す。この代替案によれば、層３１は、ユーザがシール組立体５に直接アクセスできる開口を含まない。
【００４７】
この代替案によれば、窓部３３は層３１に切り込みが入れられ、完全には開いていない。したがって、密封手段５は袋の外側からアクセスできない。切り込みが入れられた窓部３３は、袋が一度も開封されていないことをユーザに知らせることができる「不正開封防止」型のシールを構成する。
【００４８】
袋１を最初に開封するとき、ユーザは、層３１上の点線に沿って不正開封防止窓部３３を切り取る。このため、点線は層３１に、不正開封防止窓部３３を容易に開けることができる切取線を構成する。
【００４９】
切り込みが入れられた点線は、別のタイプでもよく、例えば、プラスチック製の層の場合には、例えば、厚さの薄い切取線でもよい。
【００５０】
図５では、不正開封防止窓部は層３１に位置する。また、不正開封防止窓部は層３２に配置することも考えられ、その場合、不正開封防止窓部を層３１に残したままでもよく、または、残さなくてもよい。
【００５１】
図６は図３に示された袋の別の代替案を示し、それによれば、不正開封防止窓部は、層３１上の切り込みが入れられた窓部により構成されるのではなく、層３１に開いた窓部の周囲に貼り付けられた粘着性テープ３３により構成され、この粘性は袋の外側に設けられた取り付けポイント６４によって作り出される。
【００５２】
このかなり強い粘性は、シール組立体５に対してまっすぐに完全な不正開封防止型シールを形成できるようにする。
【００５３】
この粘着性テープ３３はプラスチックタイプの材料により構成してもよい。
【００５４】
図５に示された代替案と同様に、この粘着性テープは、また、層３２上でバッグの内側の壁に貼り付けてもよい。粘着性テープを層３１と層３２に設けるどうかの選択は、相互に無関係に行われる。
【００５５】
粘着性テープは、また、図６に示されるように、図５に示されたタイプの不正開封防止窓部に設置してもよい。
【００５６】
図７は、包装バッグを持ち運ぶためにグリップ手段を形成することができる二つの窓部１０が上部に開けられた本発明によるバッグを示す。
【００５７】
図８は、グリップ手段がストラップ１１により構成された代替案を示す。
【００５８】
ストラップ、すなわち、紐１１は、前記ストラップを袋の上部に設けられた穴に貼り付けることにより、または、穴に通すことにより確実に取り付けられる。穴に通した後の工程で、ストラップを袋の上部に貼り付けるか、または、その目的のために開けられた穴にストラップを結ぶ。
【００５９】
或いは、バッグは、ハンドルを形成する１本のストラップすなわち紐だけを含む場合がある。
【００６０】
包装バッグの壁は、プラスチック材料、紙またはボール紙タイプの材料の如何なる材料で作ってもよい。壁は、例えば、ある材料の内層と、別の材料の外層とにより構成される。
【００６１】
図９は、本発明による袋を形成し製造する方法を実施することを可能にさせる装置を概略的に示す。
【００６２】
第１の包装シート３１は用紙ローラ９２から伸ばされる。
【００６３】
ステージ９４において、窓部が開けられるか、または、切り込みを入れられる。
【００６４】
ポイント９５で、シール組立体５が穴を開けられた、または、切り込みを入れられた窓部にまっすぐに取り付けられる。
【００６５】
ステージ９６で、シール組立体を取り付ける手段が穴を開けられた、または、切り込みを入れられた窓部の周囲に接合または貼り付けられる。ステージ９６は、例えば、図９に示された二つの送りローラの間にシートを供給することにより実行される。
【００６６】
シール組立体はどのようなタイプでもよく、スライダーを具備しても具備しなくても構わないことに注意する必要がある。
【００６７】
シート３１の供給と同時に、包装シート３２はローラ９１から伸ばされる。
【００６８】
ステージ９３において、実現しようとする実施形態に応じて（図３および４を参照）、ポイント９４で穴を開けられたまたは切り込みを入れられた窓部のサイズと同一サイズ若しくは異なるサイズの窓部を開けるかまたは切り込みを入れる。
【００６９】
シート３２は、シート３１と同時にポイント９７へ到着するように伸ばされ続ける。このステージで、二枚重ね包装シートを得るため、シート３２をシート３１の裏側に貼り付ける。
【００７０】
ステージ９３および９４における窓部の穴開けまたは切り込みは同期させられるので、窓部は、ポイント９７に到着したとき、互いに位置が合う。ステージ９７は、例えば、図９に示された二つの送りローラの間にシートを供給することにより実行される。
【００７１】
ポイント９８から始めて、側面にひだ部を設けるかどうかとは無関係にバッグを形成するため側面を接合し、バッグの上部開口を密封する前に、バッグに内容物を入れる方法および装置が考えられる。
【００７２】
ステージ９８は、また、ハンドル型のグリップ手段の穴を開け、或いは、グリップ手段を形成するストラップおよび紐を取り付ける。それは、場合によって近傍若しくはかなり離れている、図９に示されたステージとは別の場所で行ってもよい。
【００７３】
図９は、略図は機械の位置を仮定するものではないことに注意する必要がある。例えば、機械は、垂直送り型でも水平送り型でもよく、シール組立体５の固定は、包装シート３１の送り方向に対して縦方向でも横方向でも実行できる。
【図面の簡単な説明】
【００７４】
【図１】一枚重ね壁に開口を含む従来技術によるバッグを概略的に表す図である。
【図２】バッグの一方の壁に開口を含む二枚重ねバッグの略正面図である。
【図３】二枚重ねバッグの壁の二枚のシートの間に開口と留め具の組立体を取り付ける第１の方法の説明図である。
【図４】密封手段を二枚重ねバッグに取り付ける別の方法の説明図である。
【図５】包装袋がその表面に不正開封防止テープを形成する切り込みが入れられた窓部を密封する手段を含む一実施形態を示す図である。
【図６】包装袋がその表面に不正開封防止テープを形成する粘着性テープを密封する手段を含む一実施形態を示す図である。
【図７】一杯になると開口が袋の上部に形成され、グリップハンドルを形成することができる一実施形態を示す図である。
【図８】グリップ手段が包装バッグの上部に取り付けられたストラップにより形成される一実施形態を示す図である。
【図９】密封手段を取り付け、二枚重ねバッグを製造することができる組立装置の概略図である。
【図１】
2005516797.tif 000003
【図２】
2005516797.tif 000004
【図３】
2005516797.tif 000005
【図４】
2005516797.tif 000006
【図５】
2005516797.tif 000007
【図６】
2005516797.tif 000008
【図７】
2005516797.tif 000009
【図８】
2005516797.tif 000010
【図９】
2005516797.tif 000011
【国際調査報告】
2005516797.tif 000012
2005516797.tif 000013
2005516797.tif 000014
2005516797.tif 000015
2005516797.tif 000016
2005516797.tif 000017